(57)【特許請求の範囲】
【請求項１】
時刻情報を発生する時刻情報発生手段（２１）と、
測定対象のデータ伝送システムに対してヘッダを一定周期で送信する時間帯とその間のデータ送信のための時間帯とを識別できるタイミング信号を発生するタイミング信号発生手段（２２）と、
前記タイミング信号がデータ送信のための時間帯を示しているときに、前記時刻情報発生手段の時刻情報が挿入されたフレームデータを生成して出力するデータ生成部（２３）と、
前記データ生成部が生成したフレームデータに対して送信に必要な処理を行うとともに、前記タイミング信号がヘッダを送信する時間帯を示しているときに所定のヘッダを測定対象のデータ伝送システムに出力し、前記タイミング信号がデータ送信の時間帯を示しているときに、前記送信のために必要な処理を行ったフレームデータを前記データ伝送システムに出力するデータ送信部（２７）と、
前記データ生成部が生成したフレームデータが、該フレームデータに挿入されている時刻情報が含まれるデータ送信の時間帯とその次のデータ送信の時間帯のいずれで出力されるかを判定する第１の判定手段（２４）と、
前記データ生成部から前記データ送信部に入力されるフレームデータのうち、前記第１の判定手段によって少なくとも前記データ送信部から出力される時間帯が不定と判定されたフレームデータに不定情報を挿入する不定情報挿入手段（２５）と、
前記データ送信部からの信号を受けた前記データ伝送システムから出力されるフレームデータを受信するデータ受信部（３０）と、
前記データ受信部が受信したフレームデータに挿入されている時刻情報を抽出する時刻情報抽出手段（３１）と、
前記データ受信部が受信したフレームデータに前記不定情報が挿入されているか否かを判定する第２の判定手段（３２）と、
前記第２の判定手段によって前記不定情報が挿入されていないと判定されたフレームデータから前記時刻情報抽出手段が抽出した時刻情報と該フレームデータを受信した時刻とに基づいて、前記データ伝送システムの伝送遅延時間を算出する伝送遅延時間算出手段（３３）とを備えた伝送遅延時間測定装置。
【請求項２】
前記データ生成部から前記データ送信部に入力されるフレームデータのうち、前記第１の判定手段によって前記データ送信部から出力される時間帯が前記次の時間帯であると判定されたフレームデータに補正情報を挿入する補正情報挿入手段（２６）を有し、
前記第２の判定手段は、受信したフレームデータに前記誤差情報または補正情報のいずれかが挿入されているか否かを判定し、
前記伝送遅延時間算出手段は、前記第２の判定手段によってフレームデータに補正情報が挿入されていると判定されたとき、前記ヘッダ送信のための時間帯分の補正を行って伝送遅延時間を算出することを特徴とする請求項１記載の伝送遅延時間測定装置。
【発明の詳細な説明】
【０００１】
【発明の属する技術分野】
本発明は、データ伝送システムの伝送遅延時間を正確に測定するための技術に関する。
【０００２】
【従来の技術】
ネットワークやそれを構成する各種機器のようにデータを伝送するデータ伝送システムの性能を評価するための測定として、伝送遅延時間（Ｌａｔｅｎｃｙ）の測定がある。
【０００３】
この伝送遅延時間を測定するために、従来では、図６に示す伝送遅延時間測定装置１０が用いられている。
【０００４】
この伝送遅延時間測定装置１０は、時刻情報発生手段１１が発生する時刻情報が挿入された所定長のフレームデータＦ（ＩＰフレーム等）をデータ生成部１２で生成してデータ送信部１３に入力し、この生成されたフレームデータＦに対して送信に必要な各種の処理（エラー検出用のコードの演算処理、その付加処理やヘッダ情報の挿入処理等）を行って、測定対象のデータ伝送システム１の所定のポートＰ１に送信する。
【０００５】
そして、このデータ送信部１３からの信号を受けてデータ伝送システム１が所定のポートＰ２から出力するフレームデータＦをデータ受信部１４で受信し、そのフレームデータＦ′に挿入されている時刻情報を時刻情報抽出手段１５によって抽出して伝送遅延時間算出手段１６に出力し、フレームデータＦ′から抽出された時刻情報と、そのフレームデータＦ′を受信した時刻との差をデータ伝送システム１の伝送遅延時間として求めている。
【０００６】
なお、タイミング信号発生手段１７は、測定対象のデータ伝送システム１に送信する信号のフォーマットにしたがって、図７の（ａ）のように、ヘッダを送信するための時間帯Ｔａとフレームデータ等のデータを送信するための時間帯Ｔｂとを識別できるタイミング信号Ｓｔを発生しており、データ生成部１２は図７（ｂ）のように、データ送信のための時間帯Ｔｂに時刻情報が挿入されたフレームデータＦを生成出力し、データ送信部１３は、図７の（ｃ）のように、ヘッダ送信のための時間帯Ｔａに所定のヘッダＨを出力し、時間帯Ｔｂにデータ生成部１２からのフレームデータＦに対する処理を行って得られたフレームデータＦ′を出力している。
【０００７】
【発明が解決しようとする課題】
しかしながら、上記のように構成された従来の伝送遅延時間測定装置１０で、例えばヘッダ送信のための時間帯Ｔａが長いフォーマットのデータを伝送するシステムの測定を行おうとすると、測定誤差が非常に大きくなってしまうという問題がある。
【０００８】
即ち、図７の（ｂ）に示すタイミングで生成されたフレームデータＦは、データ送信部１３内で図７の（ｃ）のように処理時間Ｔｓ分の遅延を受ける。
この処理時間Ｔｓが固定値であれば、算出された伝送遅延時間からこの固定値を差し引くことで正確な伝送遅延時間を求めることができ、また、この処理時間Ｔｓがデータ伝送システム１の伝送遅延時間に比べて格段に短ければ、処理時間Ｔｓの遅延を無視することもできる。
【０００９】
ところが、図８の（ａ）に示すタイミング信号Ｓｔに対して、図８の（ｂ）のように生成されたフレームデータＦが、データ送信部１３の処理時間Ｔｓの遅延の影響で、図８の（ｃ）のようにフレームデータＦの生成時刻が含まれる時間帯Ｔｂ（ｉ）内に送信できないと判定されて次の時間帯Ｔｂ（ｉ＋１）に送信される場合がある。
【００１０】
このように、データ送信の時間帯がずれる場合、その間のヘッダ送信のための時間帯Ｔａの幅が短ければよいが、ＳＤＨ（シンクロナスディジタルハイアラーキ）等のように、ヘッダ（オーバヘッド）を送信する時間帯が長いフォーマットでデータを伝送するシステムを測定対象とする場合には、このデータ送信の時間帯のずれによる測定誤差が非常に多くなってしまう。
【００１１】
本発明は、この問題を解決して、ヘッダ送信のための時間帯が長い場合でも、正確な測定が行える伝送遅延時間測定装置を提供することを目的としている。
【００１２】
【課題を解決するための手段】
前記目的を達成するために、本発明の伝送遅延時間測定装置は、
時刻情報を発生する時刻情報発生手段（２１）と、
測定対象のデータ伝送システムに対してヘッダを一定周期で送信する時間帯とその間のデータ送信のための時間帯とを識別できるタイミング信号を発生するタイミング信号発生手段（２２）と、
前記タイミング信号がデータ送信のための時間帯を示しているときに、前記時刻情報発生手段の時刻情報が挿入されたフレームデータを生成して出力するデータ生成部（２３）と、
前記データ生成部が生成したフレームデータに対して送信に必要な処理を行うとともに、前記タイミング信号がヘッダを送信する時間帯を示しているときに所定のヘッダを測定対象のデータ伝送システムに出力し、前記タイミング信号がデータ送信の時間帯を示しているときに、前記送信のために必要な処理を行ったフレームデータを前記データ伝送システムに出力するデータ送信部（２７）と、
前記データ生成部が生成したフレームデータが、該フレームデータに挿入されている時刻情報が含まれるデータ送信の時間帯とその次のデータ送信の時間帯のいずれで出力されるかを判定する第１の判定手段（２４）と、
前記データ生成部から前記データ送信部に入力されるフレームデータのうち、前記第１の判定手段によって少なくとも前記データ送信部から出力される時間帯が不定と判定されたフレームデータに不定情報を挿入する不定情報挿入手段（２５）と、
前記データ送信部からの信号を受けた前記データ伝送システムから出力されるフレームデータを受信するデータ受信部（３０）と、
前記データ受信部が受信したフレームデータに挿入されている時刻情報を抽出する時刻情報抽出手段（３１）と、
前記データ受信部が受信したフレームデータに前記不定情報が挿入されているか否かを判定する第２の判定手段（３２）と、
前記第２の判定手段によって前記不定情報が挿入されていないと判定されたフレームデータから前記時刻情報抽出手段が抽出した時刻情報と該フレームデータを受信した時刻とに基づいて、前記データ伝送システムの伝送遅延時間を算出する伝送遅延時間算出手段（３３）とを備えている。
【００１３】
また、本発明の請求項２の伝送遅延時間測定装置は、請求項１の伝送遅延時間測定装置において、
前記データ生成部から前記データ送信部に入力されるフレームデータのうち、前記第１の判定手段によって前記データ送信部から出力される時間帯が前記次の時間帯であると判定されたフレームデータに補正情報を挿入する補正情報挿入手段（２６）を有し、
前記第２の判定手段は、受信したフレームデータに前記誤差情報または補正情報のいずれかが挿入されているか否かを判定し、
前記伝送遅延時間算出手段は、前記第２の判定手段によってフレームデータに補正情報が挿入されていると判定されたとき、前記ヘッダ送信のための時間帯分の補正を行って伝送遅延時間を算出することを特徴としている。
【００１４】
【発明の実施の形態】
以下、図面に基づいて本発明の実施の形態を説明する。
図１は、本発明を適用した伝送遅延時間測定装置２０の構成を示している。
【００１５】
図１において、時刻情報発生手段２１は、現在の時刻を表す時刻情報を所定周期で出力する。
【００１６】
タイミング信号発生手段２２は、測定対象のデータ伝送システム１に対してヘッダを一定周期で送信する時間帯Ｔａとその間のデータ送信のための時間帯Ｔｂとを識別できるタイミング信号Ｓｔを発生する。
【００１７】
データ生成部２３は、タイミング信号Ｓｔがデータ送信のための時間帯Ｔｂを示しているときに、時刻情報発生手段２１の時刻情報ｔ（ｓ）が所定位置Ａに挿入されたフレームデータＦを順次生成して出力する。
【００１８】
このフレームデータＦには、測定対象のデータ伝送システム１のポートＰ２を宛て先として指定するアドレス情報が含まれているものとし、その所定位置Ｂ、Ｃには例えば「０」のデータが挿入されているものとする。
【００１９】
第１の判定手段２４は、データ生成部２３が生成したフレームデータＦに対して、後述するデータ送信部２７が送信に必要な処理を行って得られたフレームデータＦ′が、そのフレームデータＦ′に挿入されている時刻情報ｔ（ｓ）を含むデータ送信のための時間帯Ｔｂ（ｉ）とその次のデータ送信の時間帯Ｔｂ（ｉ＋１）のいずれかで出力されるかを判定する。
【００２０】
例えば、フレームデータＦに対するデータ送信部２７の処理時間ＴｓがＴｓ１〜Ｔｓ２の範囲で変化するものとし、データ生成部２３でフレームデータＦが生成された時刻をそのフレームデータに挿入されている時刻情報ｔ（ｓ）と等しいとすれば、その時刻情報ｔ（ｓ）が含まれる時間帯Ｔｄ（ｉ）の次のヘッダ送信のための時間帯Ｔａ（ｉ＋１）が始まる時刻ｔ０と時刻情報ｔ（ｓ）との差ΔＴと、処理時間Ｔｓの下限値Ｔａ１および上限値Ｔａ２とを比較する。
【００２１】
そして、差ΔＴが上限値Ｔｓ２より大であれば、このフレームデータＦを処理して得られるフレームデータＦ′は、必ず、現時間帯Ｔｂ（ｉ）で送信されると判定する。
【００２２】
また、差ΔＴが下限値Ｔｓ１より大で上限値Ｔｓ２以下であれば、このフレームデータＦを処理して得られるフレームデータＦ′は、現時間帯Ｔｂ（ｉ）と、その次の時間帯Ｔｂ（ｉ＋１）のいずれかで送信されるか不定であると判定する。
【００２３】
また、差ΔＴが下限値Ｔｓ１以下であれば、このフレームデータＦを処理して得られるフレームデータＦ′は、必ず、次のデータ送信のための時間帯Ｔｂ（ｉ＋１）に送信されると判定する。
【００２４】
不定情報挿入手段２５は、データ生成部２３が生成したフレームデータＦのうち、第１の判定手段２４によって現時間帯Ｔｂ（ｉ）で必ず送信されると判定されたフレームデータＦおよび次の時間帯Ｔｂ（ｉ＋１）で必ず送信されると判定されたフレームデータＦについてはそのまま通過させ、第１の判定手段２４によって出力される時間帯が不定と判定されたフレームデータＦについては、そのフレームデータＦの所定位置Ｂに、送信時間帯が不定であることを示す例えば「１」の不定情報を挿入して出力する。
【００２５】
また、補正情報挿入手段２６は、不定情報挿入手段２５から出力されるフレームデータのうち、第１の判定手段２４によって現時間帯Ｔｂ（ｉ）で必ず送信されると判定されたフレームデータＦおよび不定情報挿入手段２５によって不定情報が挿入されたフレームデータについてはそのままデータ送信部２７に入力させ、第１の判定手段２４によって次の時間帯Ｔｂ（ｉ＋１）で必ず送信されると判定されたフレームデータＦについては、その所定位置Ｃに時間帯補正が必要であることを示す例えば「１」の補正情報を挿入してデータ送信部２７に入力させる。
【００２６】
データ送信部２７は、データ生成部２３によって生成され、不定情報挿入手段２５および補正情報挿入手段２６を介して入力されるフレームデータに対し、誤り検出のためのＣＲＣ計算やその計算結果の付加等の送信に必要な処理を行うとともに、タイミング信号Ｓｔがヘッダ送信のための時間帯Ｔａを示しているときに所定のヘッダＨを出力端子２０ａを介して測定対象のデータ伝送システム１の所定ポートＰ１に出力し、タイミング信号Ｓｔがデータ送信の時間帯Ｔｂを示しているときに、送信のために必要な処理を行ったフレームデータＦ′を出力端子２０ａを介してデータ伝送システム１の所定ポートＰ１に出力する。
【００２７】
データ伝送システム１はデータ送信部２７からの信号を受け、その信号の内のフレームデータＦ′を所定ポートＰ２に伝送する。
【００２８】
このポートＰ２から出力されるフレームデータＦ′は、入力端子２０ｂを介してデータ受信部３０で受信される。
【００２９】
時刻抽出手段３１は、データ受信部３０が受信したフレームデータＦ′の所定位置Ａに挿入されている時刻情報ｔ（ｓ）を抽出する。
【００３０】
第２の判定手段３２は、データ受信部３０が受信したフレームデータＦ′の所定位置Ｂ、Ｃの情報を調べ、不定情報または補正情報が挿入されているか否かを判定する。
【００３１】
伝送遅延時間算出手段３３は、第２の判定手段３２が受信されたフレームデータＦ′の所定位置Ｂに不定情報が挿入されておらず、且つ所定位置Ｃに補正情報が挿入されていないと判定したとき、時刻情報抽出手段３１によってそのフレームデータＦ′から抽出された時刻情報ｔ（ｓ）とそのフレームデータＦ′を受信した時刻ｔ（ｒ）との差Ｔｄを求め、この差Ｔｄから例えばデータ送信部２７の平均処理時間Ｔａｖ＝（Ｔｓ１＋Ｔｓ２）／２を差し引いて、データ伝送システム１のポートＰ１、Ｐ２間の伝送遅延時間Ｔｄｄを求める。
【００３２】
また、伝送遅延時間算出手段３３は、第２の判定手段３２が受信されたフレームデータＦ′の所定位置Ｂに不定情報が挿入されていると判定したとき、そのフレームデータＦ′を伝送遅延時間の測定対象から除外して伝送遅延時間の算出を行わない。
【００３３】
また、伝送遅延時間算出手段３３は、第２の判定手段３２が受信されたフレームデータＦ′の所定位置Ｃに補正情報が挿入されていると判定したとき、そのフレームデータＦ′から抽出された時刻情報ｔ（ｓ）とそのフレームデータＦ′の受信時刻ｔ（ｒ）との差Ｔｄを求め、この差Ｔｄから平均処理時間Ｔａｖを減じ、さらにヘッダ送信のための時間帯Ｔａの幅（Ｔａとする）を減じて、時間帯のずれによる誤差を補正した伝送遅延時間Ｔｄｄを算出する。
【００３４】
なお、この伝送遅延時間算出手段３３は、受信されたフレームデータＦ′のうち、その所定位置Ｂに不定情報が挿入されていないフレームデータについて得られた伝送遅延時間Ｔｄｄを図示しない表示器等に表示させて、その伝送遅延時間の変化を把握できるようにしたり、あるいは伝送遅延時間Ｔｄｄの平均化処理を行い、その処理結果を出力する。
【００３５】
このように構成された伝送遅延時間測定装置２０では、図２の（ａ）のタイミング信号Ｓｔがデータ送信のための時間帯Ｔｂ（ｉ）を示している期間中に、例えば図２の（ｂ）のように、次のヘッダ送信のための時間帯Ｔａ（ｉ＋１）が始まる時刻ｔ０との差ΔＴが処理時間の上限値Ｔｓ２以上となる時刻ｔ（ｓ）に、その時刻情報ｔ（ｓ）が所定位置Ａに挿入されたフレームデータＦがデータ生成部２３から出力された場合、このフレームデータＦは不定情報挿入手段２５および補正情報挿入手段２６をそのまま通過してデータ送信部２７に入力される。
【００３６】
そして、データ送信部２７において送信のための処理を受け、この処理を受けたフレームデータＦ′が図２の（ｃ）のようにその処理時間Ｔｓ分だけ遅れて、データ伝送システム１に出力される。
【００３７】
このフレームデータＦ′を含む信号をポートＰ１で受けたデータ伝送システム１は、このフレームデータＦ′をポートＰ２に伝送する。
【００３８】
データ受信部３０は、データ伝送システム１のポートＰ２から出力されるフレームデータＦ′を図２の（ｄ）のように受信して、誤り検出等の処理を行い、誤りが無ければそのフレームデータＦ′を出力する。
【００３９】
時刻情報抽出手段３１は、このフレームデータＦ′の所定位置Ａに挿入されている時刻情報ｔ（ｓ）を抽出して伝送遅延時間算出手段３３に出力する。
【００４０】
前記したように、このフレームデータＦ′には不定情報も補正情報も挿入されていないので、伝送遅延時間算出手段３３は、時刻情報抽出手段３１によって抽出された時刻情報ｔ（ｓ）と、このフレームデータＦ′を受信した時刻ｔ（ｒ）との差Ｔｄを求め、この差Ｔｄからデータ送信部２７の平均処理時間Ｔａｖを差し引いて、データ伝送システム１のポートＰ１、Ｐ２間の伝送遅延時間Ｔｄｄを求める。
【００４１】
また、図３の（ａ）のタイミング信号Ｓｔがデータ送信のための時間帯Ｔｂ（ｉ）を示している期間中で、例えば図３の（ｂ）のように、次のヘッダ送信のための時間帯Ｔａ（ｉ＋１）が始まる時刻ｔ０との差ΔＴが処理時間の下限値Ｔｓ１を超えない時刻ｔ（ｓ）に、その時刻情報ｔ（ｓ）が所定位置Ａに挿入されたフレームデータＦがデータ生成部２３から出力された場合、このフレームデータＦは、不定情報挿入手段２５を通過して、補正情報挿入手段２６によって所定位置Ｃに補正情報が挿入されてデータ送信部２７に入力される。
【００４２】
そして、データ処理部２７において送信のための処理を受け、この処理を受けたフレームデータＦ′が図３の（ｃ）のように、その処理時間Ｔｓとヘッダ送信のための時間Ｔａと加算した時間にほぼ等しい時間Ｔｓ′だけ遅れて、次のデータ送信のための時間帯Ｔｂ（ｉ＋１）にデータ伝送システム１に出力される。
【００４３】
このフレームデータＦ′は、前記同様にデータ伝送システム１のポートＰ２に伝送されて、図３の（ｄ）のように、データ受信部３０で受信され、時刻抽出手段３１によって所定位置Ａから時刻情報ｔ（ｓ）が抽出され、また第２の判定手段３２によって所定位置Ｃに補正情報が挿入されていると判定される。
【００４４】
このため、伝送遅延時間算出手段３３は、時刻情報抽出手段３１によって抽出された時刻情報ｔ（ｓ）と、このフレームデータＦ′を受信した時刻ｔ（ｒ）との差Ｔｄを求め、この差Ｔｄからデータ送信部２７の平均処理時間Ｔａｖを差し引いて、さらにヘッダ送信のための時間幅Ｔａを差し引いてデータ伝送システム１のポートＰ１、Ｐ２間の伝送遅延時間Ｔｄｄを求める。
【００４５】
また、図４の（ａ）のタイミング信号Ｓｔがデータ送信のための時間帯Ｔｂ（ｉ）を示している期間中で、例えば図４の（ｂ）のように、次のヘッダ送信のための時間帯Ｔａ（ｉ＋１）が始まる時刻ｔ０との差ΔＴが処理時間の下限値Ｔｓ１以上で上限値Ｔｓ２を超えない時刻ｔ（ｓ）に、その時刻情報ｔ（ｓ）が所定位置Ａに挿入されたフレームデータＦがデータ生成部２３から出力された場合、このフレームデータＦは、不定情報挿入手段２５によって所定位置Ｂに不定情報補正情報が挿入されてデータ送信部２７に入力される。
【００４６】
そして、データ処理部２７において送信のための処理を受けるが、この処理を受けたフレームデータＦ′は、図４の（ｃ）のようにその処理時間Ｔｓ分だけ遅れて時間帯Ｔｂ（ｉ）に出力されるか、あるいは、図４の（ｃ′）のように、時間Ｔｓ′だけ遅れて次の時間帯Ｔｂ（ｉ＋１）に出力されるか不定な状態で、データ伝送システム１に出力される。
【００４７】
このフレームデータＦ′は、前記同様にデータ伝送システム１のポートＰ２に伝送されてデータ受信部３０で受信され、時刻抽出手段３１によって所定位置Ａから時刻情報ｔ（ｓ）が抽出されるが、第２の判定手段３２によって所定位置Ｂに不定情報が挿入されていると判定されるため、伝送遅延時間算出手段３３は、このフレームデータＦ′を伝送遅延時間の算出対象から除外し、不定情報が挿入されていないフレームデータが受信されるのを待つ。
【００４８】
このように、実施形態の伝送遅延時間測定装置２０では、データ生成部２３から出力されるフレームデータＦが、データ送信部２７の処理による遅延を受けて、その生成時刻を含むデータ送信のための時間帯とその次のデータ送信のための時間帯のいずれで出力されるかを判定し、不定と判定された場合にはそれを示す不定情報をそのフレームデータの所定位置Ｂに挿入してデータ送信部２７に入力しており、また、受信側では、受信したフレームデータＦ′の所定位置Ｂに不定情報が挿入されているか否かを判定し、不定情報が挿入されている場合にはこのフレームデータＦ′を伝送遅延時間の測定対象から除外している。
【００４９】
このため、測定対象のデータ伝送システムがヘッダを送信する時間帯Ｔａが長いＳＤＨ系の場合であっても、送信される時間帯が確定しているフレームデータだけを測定対象としているのでその伝送遅延時間を正確に測定することができる。
【００５０】
なお、前記した伝送遅延時間測定装置２０では、生成したフレームデータが次のデータ送信のための時間帯に送信される場合に、そのフレームデータに補正情報を挿入して、受信側でヘッダ送信のための時間幅Ｔａ分の補正をしていたが、図５に示す伝送遅延時間測定装置２０′のように、補正情報挿入手段２６を省略し、データ生成部２３が生成したフレームデータが第１の判定手段２４によって、必ず次のデータ送信のための時間帯に送信されると判定された場合にも、不定情報挿入手段２５が不定情報を挿入して、受信側でこのフレームデータを伝送遅延時間の測定対象から除外してもよい。
【００５１】
また、前記説明では、伝送遅延時間算出手段３３が、フレームデータに挿入されていた時刻情報ｔ（ｓ）とそのフレームデータの受信時刻ｔ（ｒ）との差Ｔｄから、データ送信部２７の平均処理時間Ｔａｖを差し引いて伝送遅延時間Ｔｄｄを求めていたが、データ送信部２７の処理時間が、ヘッダ送信のための時間帯の幅より格段に短く、且つ、データ伝送システム１によるデータの伝送遅延時間よりも格段に短い場合には、フレームデータに挿入されていた時刻情報ｔ（ｓ）とそのフレームデータの受信時刻ｔ（ｒ）との差Ｔｄをデータ伝送システム１の伝送遅延時間としてもよい。
【００５２】
【発明の効果】
以上説明したように、本発明の請求項１の伝送遅延時間測定装置は、
時刻情報を発生する時刻情報発生手段（２１）と、
測定対象のデータ伝送システムに対してヘッダを一定周期で送信する時間帯とその間のデータ送信のための時間帯とを識別できるタイミング信号を発生するタイミング信号発生手段（２２）と、
前記タイミング信号がデータ送信のための時間帯を示しているときに、前記時刻情報発生手段の時刻情報が挿入されたフレームデータを生成して出力するデータ生成部（２３）と、
前記データ生成部が生成したフレームデータに対して送信に必要な処理を行うとともに、前記タイミング信号がヘッダを送信する時間帯を示しているときに所定のヘッダを測定対象のデータ伝送システムに出力し、前記タイミング信号がデータ送信の時間帯を示しているときに、前記送信のために必要な処理を行ったフレームデータを前記データ伝送システムに出力するデータ送信部（２７）と、
前記データ生成部が生成したフレームデータが、該フレームデータに挿入されている時刻情報が含まれるデータ送信の時間帯とその次のデータ送信の時間帯のいずれで出力されるかを判定する第１の判定手段（２４）と、
前記データ生成部から前記データ送信部に入力されるフレームデータのうち、前記第１の判定手段によって少なくとも前記データ送信部から出力される時間帯が不定と判定されたフレームデータに不定情報を挿入する不定情報挿入手段（２５）と、
前記データ送信部からの信号を受けた前記データ伝送システムから出力されるフレームデータを受信するデータ受信部（３０）と、
前記データ受信部が受信したフレームデータに挿入されている時刻情報を抽出する時刻情報抽出手段（３１）と、
前記データ受信部が受信したフレームデータに前記不定情報が挿入されているか否かを判定する第２の判定手段（３２）と、
前記第２の判定手段によって前記不定情報が挿入されていないと判定されたフレームデータから前記時刻情報抽出手段が抽出した時刻情報と該フレームデータを受信した時刻とに基づいて、前記データ伝送システムの伝送遅延時間を算出する伝送遅延時間算出手段（３３）とを備えている。
【００５３】
このため、送信される時間帯が確定しているフレームデータだけを測定対象としているので、たとえヘッダ送信のための時間帯が長いＳＤＨ系等のデータ伝送システムに対しても、その伝送遅延時間を正確に測定することができる。
【００５４】
また、本発明の請求項２の伝送遅延時間測定装置は、請求項１の伝送遅延時間測定装置において、
前記データ生成部から前記データ送信部に入力されるフレームデータのうち、前記第１の判定手段によって前記データ送信部から出力される時間帯が前記次の時間帯であると判定されたフレームデータに補正情報を挿入する補正情報挿入手段（２６）を有し、
前記第２の判定手段は、受信したフレームデータに前記誤差情報または補正情報のいずれかが挿入されているか否かを判定し、
前記伝送遅延時間算出手段は、前記第２の判定手段によってフレームデータに補正情報が挿入されていると判定されたとき、前記ヘッダ送信のための時間帯分の補正を行って伝送遅延時間を算出することを特徴としている。
【００５５】
このため、生成時刻を含む時間帯の次の時間帯に送信されるフレームデータについても、正確な伝送遅延時間の測定が行える。
【図面の簡単な説明】
【図１】本発明の実施形態の構成を示す図
【図２】実施形態の動作を説明するためのタイミング図
【図３】実施形態の動作を説明するためのタイミング図
【図４】実施形態の動作を説明するためのタイミング図
【図５】本発明の他の実施形態の構成を示す図
【図６】従来装置の構成を示す図
【図７】従来装置の動作とフレームデータの遅延を説明するためのタイミング図
【図８】従来装置の動作とフレームデータの遅延を説明するためのタイミング図
【符号の説明】
１  データ伝送システム
２０  伝送遅延時間測定装置
２０ａ  出力端子
２０ｂ  入力端子
２１  時刻情報発生手段
２２  タイミング信号発生手段
２３  データ生成部
２４  第１の判定手段
２５  不定情報挿入手段
２６  補正情報挿入手段
２７  データ送信部
３０  データ受信部
３１  時刻情報抽出手段
３２  第２の判定手段
３３  伝送遅延時間算出手段
【図１】
0003579377.tif 000002
【図２】
0003579377.tif 000003
【図３】
0003579377.tif 000004
【図４】
0003579377.tif 000005
【図５】
0003579377.tif 000006
【図６】
0003579377.tif 000007
【図７】
0003579377.tif 000008
【図８】
0003579377.tif 000009